(57)【要約】【課題】  自動販売機の転倒防止板の強度を損なわずに軽量化することで、自動販売機の屋内設置工事を簡素化すること。【解決手段】  自動販売機１における左右の前後脚２に固定して使用する転倒防止板３に周辺斜辺３Ａと、中央突面３Ｂと、中央切溝３Ｃとを形成し、この切溝に沿わせて前記突面３Ｂの裏面に横断面偏平コ字状の補強板４をその両側片４Ａで固着して偏平の空洞部５を形成し、この空洞部５内に二枚のナット駒６をスライド可能な回転止め状態で内装した転倒防止板上に前記前後脚２を載せ、これら各脚２の下部フランジ２Ａの上面に脚固定座７の内孔縁辺７Ａを当て込み、脚固定座７の締付け孔７Ｃから前記切溝３Ｃを経て下向きに差し込んだボルト８を前記ナット駒６に螺着することで、脚固定座７の内孔縁辺７Ａにより、前後脚フランジ２Ａの上面を押さえ込んだ。【選択図】図１
0003124714.tif 000002
【実用新案登録請求の範囲】
【請求項１】
自動販売機１における左右の前後脚２に固定して使用する転倒防止板３に周辺斜辺３Ａと、中央突面３Ｂと、中央切溝３Ｃとを形成し、この切溝に沿わせて前記突面３Ｂの裏面に横断面偏平コ字状の補強板４をその両側片４Ａで固着して偏平の空洞部５を形成し、この空洞部５内に二枚のナット駒６をスライド可能な回転止め状態で内装した転倒防止板上に前記前後脚２を載せ、これら各脚２の下部フランジ２Ａの上面に脚固定座７の内孔縁辺７Ａを当て込み、脚固定座７の締付け孔７Ｃから前記切溝３Ｃを経て下向きに差し込んだボルト８を前記ナット駒６に螺着することで、脚固定座７の内孔縁辺７Ａにより、前後脚フランジ２Ａの上面を押さえ込んだ自動販売機の転倒防止装置。
【請求項２】
自動販売機１の下面１Ａに突設した左右の前後脚２にそれぞれ前方へ張り出し固定した左右二枚の転倒防止板３で、外力による自動販売機１の前向き転倒を防ぐに当たり、前記各転倒防止板３の周辺には板金加工による下がり斜辺３Ａを形成し、中央突面３Ｂにはその長さ方向に沿わせて細長い切溝３Ｃを形成すると共に、この切溝３Ｃに沿った転倒防止板突面３Ｂの裏面両側辺に横断面偏平コ字状の補強板４の両側辺４Ａを固着して偏平の空洞部５を形成し、この空洞部５内に二枚のナット駒６をスライド可能な回転止め状態で内装し、前記二枚の転倒防止板３を設置床面の左右に平行載置して自動販売機左右の前後脚２を載せ、これら計四本の各脚２にそれぞれ脚固定座７の内孔縁辺７Ａをその導入溝７Ｂから係入し、この内孔縁辺７Ａをそれぞれ前記四本の各脚２の下部フランジ２Ａの上面に当て込み、脚固定座７の締付け孔７Ｃから転倒防止板３の切溝３Ｃを経て下向きに差し込んだ計四本のボルト８をそれぞれ前記切溝３Ｃに沿わせて近付けた前記各ナット駒６に螺着することで、前記脚固定座７の内孔縁辺７Ａにより、前記左右の前後脚２の下部フランジ２Ａの上面を強固に押さえ込んだ自動販売機の転倒防止装置。
【請求項３】
前記空洞部５内にその幅よりも僅かに小寸角形のナット駒６をスライド可能な回転止め状態で内装した請求項１または請求項２に記載の自動販売機の転倒防止装置。
【請求項４】
前記空洞部５内にナット駒６をスライド可能に回転止めして内装するに当たり、空洞部５の内面にナット駒６の回転止め凹凸を形成した請求項１または請求項２に記載の自動販売機の転倒防止装置。
【請求項５】
前記空洞部５内にナット駒６をスライド可能に回転止めして内装するに当たり、ナット駒６の内面に空洞部５に対する回転止め凹凸を形成した請求項１または請求項２に記載の自動販売機の転倒防止装置。
【考案の詳細な説明】
【技術分野】
【０００１】
本考案は、屋内の床面に自動販売機を立設する際に応用して好適な転倒防止板を用いた自動販売機の転倒防止装置の改良に関する。
【背景技術】
【０００２】
アンカーボルトを植設できない屋内床面に据え付ける自動販売機の下面左右の前後脚にそれぞれ前方へ張り出し固定した左右二枚の転倒防止板で、外力による自動販売機の前向き転倒を防ぐに当たっては、例えば下記の非特許文献１の第３２頁〜第４１頁に記載のように、ねじ孔固定式転倒防止板を用いた転倒防止装置と、スライド式転倒防止板を用いた自動販売機の転倒防止装置とが周知であり、両者共現用一般に施工している。
【非特許文献１】東京都港区西新橋２丁目３７番６号・日本自動販売機１工業会が、平成１１年１１月１１日に発行した自動販売機据付基準マニュアル第３２頁〜第４１頁
【考案の開示】
【考案が解決しようとする課題】
【０００３】
前記非特許文献１の第３２頁・第３３頁には、ねじ孔固定式転倒防止板として、例えば長さが９００ｍｍ程度・厚さが９ｍｍ程度・幅が２５０ｍｍ程度で、重量が二枚一組で約３３〜３５Ｋｇ程度の大重量鉄板に多数のねじ孔を例えば６０ｍｍ間隔で二列形成したねじ孔固定式転倒防止板の設計図面の記載が有る。
【０００４】
そして、一般屋内の自動販売機設置現場では、例えば図２のように自動販売機１の下面１Ａに突設した左右の前後脚２にそれぞれ前方へ張り出し固定した左右二枚の転倒防止板３で、外力による自動販売機１の前向き転倒を防止するのであるが、前記非特許文献１または図５のようなねじ孔固定式転倒防止板３０を用いる例では、その二枚を床面に平行載置し、これら各転倒防止板３０上にそれぞれ自動販売機１の下部に突設した左右の前後脚２を図２のように載せる。
【０００５】
次いで、前記計四本の各脚２にそれぞれ図４のような脚固定座７の内孔縁辺７Ａをその導入溝７Ｂから係入し、この内孔縁辺７Ａを図６および前記非特許文献１の第３８頁の断面図のように前後脚２の下部フランジ２Ａの上面に当て込み、上記脚固定座７の締付け孔７ＣからスプリングワッシャＷと平ワッシャＷ付きのボルト８を下向きに差し込みつつ、上記各脚を中心として固定座７を僅かずつ回動させることで、前記転倒防止板３０に設けた多数のねじ孔３０Ａの中からボルト８をねじ込めるねじ孔３０Ａを探し出し、このねじ孔に上記ボルト８を上記各図のように締着することで、脚固定座７の内孔縁辺７Ａで前記自動販売機１左右の前後脚２の下部フランジ２Ａの上面を押さえ込み、自動販売機１の前向き転倒を防止していた。
【０００６】
ところが、上記従来のねじ孔固定式転倒防止板３０は、重量が二枚一組で３３〜３５Ｋｇ程度の大重量で分厚い鉄板であるから、その持ち運びが著しく困難で、一人では持ち運び配置できず、また自動販売機１の据付け時に図５のような多数のねじ孔３０Ａの中からボルト８をねじ込める位置のねじ孔を探し出すには、自動販売機１の下面と転倒防止板３０の上面との狭い間隙内に手指を差し込み、手探りと目見当により、脚固定座７を自動販売機１の脚２を中心として僅かずつ回動させることで、ボルトねじ込み孔を探し出したり、運悪く探し出せない場合には、自動販売機１の前後脚２を転倒防止板３０から僅かに浮上させた後、大重量の転倒防止板３０を自動販売機１据付け床面上で僅かずつ縦・横・斜めに移動してボルトねじ込み位置合わせを実行する必要が有り、これら各位置合わせ作業は困難を極め、夏場では汗だくものであったという本質的かつ、大きな問題点が有る。
【０００７】
また、上記従来のねじ孔固定式転倒防止板３０は、前記図５のように左配置用と右配置用とが有るから、これらを截然と区別して使用する必要が有り、その持ち運びや設置現場に配置するに当たり、左右両方有るかどうか、左右の配置が正しいかどうかを厳重に確認しなければならないので、極めて煩雑であるという本質的な問題点も有る。
【０００８】
さらに、前記非特許文献１の第３３頁と第６３頁には、スライド式転倒防止鉄板の平面図が有り、これは図７の裏面図のように長さが９００ｍｍ程度・幅が２５０ｍｍ程度・肉厚３〜４ｍｍ程度の防錆処理済鉄板で作った転倒防止板３１における周辺斜辺３１Ａ内の中央突面３１Ｂの中央に長さ方向に沿わせて形成した細長い切溝３１Ｃを挟んだ裏面に二列のボルト回転止め兼用補強角パイプ３１Ｄを溶着部ｙで溶着したものであるが、その詳細な現場施工説明の記載は前記非特許文献１には無く、一般の自動販売機設置現場では、上記スライド式転倒防止板３１の二枚を床面に平行載置し、その上にそれぞれ自動販売機下部に突設した左右の前後脚２を図２のように載せる。
【０００９】
次いで、前記計四本の各脚２にそれぞれ図４のような脚固定座７の内孔縁辺７Ａをその導入溝７Ｂから係入し、この内孔縁辺７Ａを図８のように各前後脚２の下部フランジ２Ａの上面に当て込み、計四本のボルト８を転倒防止板３１の裏面から前記切溝３１Ｃを経て上向きに突出させ、各ボルト８の頭を前記二列の角パイプ３１Ｄにより緩く挟んで回転止めを施した状態に有る上記各ボルト８を切溝３１Ｃに沿わせて移動させつつ、前記脚固定座７を自動販売機１の脚２を中心として回動し、その締付け孔７Ｃに各ボルト８を貫通させ、この締付け孔７Ｃから上向きに突出したボルト８にスプリングワッシャＷと平ワッシャＷを介してナットＮを同図８のように螺着することで、脚固定座７の内孔縁辺７Ａで前記自動販売機１左右の前後脚２の下部フランジ２Ａの上面を押さえ込み、自動販売機１の前向き転倒を防止している。
【００１０】
ところが、上記従来例は、転倒防止板３１の裏面から前記切溝３１Ｃを経て上向きに突出させたボルト８に脚固定座７の締付け孔７Ｃの縁辺をナットＮで螺着し、脚固定座７の内孔縁辺７Ａで前記左右の前後脚２の下部フランジ２Ａの上面を押さえ込んだものだから、前記ボルト回転止めの関係上、転倒防止板３１の裏面における切溝３１Ｃに対するボルト８の六角頭内面の係合状態は、上記切溝３１Ｃの縁辺に集中した極く偏平な台形状の細長い小面積での係合状態であるため、地震などの外力による強力なボルト８の上下応力が、上記切溝３１Ｃの縁辺だけに集中して加わる結果、転倒防止板３１の切溝３１Ｃの縁辺がめくれ上がって肝心のボルト８が抜け出してしまい、奥行きの浅い自動販売機程、小規模地震でも転倒する危険が有るという本質的かつ、大きな問題点が有る。
【００１１】
この考案は、自動販売機の転倒防止板を弱化させずに軽量化することで、自動販売機の屋内設置工事を簡素化することを目的とする。
【課題を解決するための手段】
【００１２】
上記した本考案の目的は、自動販売機１における左右の前後脚２に固定して使用する転倒防止板３に周辺斜辺３Ａと、中央突面３Ｂと、中央切溝３Ｃとを形成し、この切溝に沿わせて前記突面３Ｂの裏面に横断面偏平コ字状の補強板４をその両側片４Ａで固着して偏平の空洞部５を形成し、この空洞部５内に二枚のナット駒６をスライド可能な回転止め状態で内装した転倒防止板上に前記前後脚２を載せ、これら各脚２の下部フランジ２Ａの上面に脚固定座７の内孔縁辺７Ａを当て込み、脚固定座７の締付け孔７Ｃから前記切溝３Ｃを経て下向きに差し込んだボルト８を前記ナット駒６に螺着することで、脚固定座７の内孔縁辺７Ａにより、前後脚フランジ２Ａの上面を押さえ込んだことで達成できた。
【考案の効果】
【００１３】
この考案による転倒防止板３の周辺には、板金加工による下がり斜辺３Ａを形成し、中央突面３Ｂにはその長さ方向に沿わせて細長い切溝３Ｃを形成すると共に、この切溝３Ｃに沿った転倒防止板突面３Ｂの裏面両側辺に横断面偏平コ字状の補強板４の両側辺４Ｃを固着して偏平の空洞部５を形成することで、メカ強度を弱化させずに二枚一組で１４Ｋｇ程度と軽量化した転倒防止板３を構成できたので、その持ち運びと、床面配置とがそれぞれ著しく簡単で一人でも可能になったという優れた効果が有る。
【００１４】
また、この考案によれば、脚固定座７の締付け孔７Ｃから転倒防止板３の切溝３Ｃを経て下向きに差し込んだボルト８を切溝３Ｃに沿わせて近付けた前記回転止め状態に有るナット駒６に無造作にきつく螺着できるから、前記脚固定座７の内孔縁辺下面で前記左右の前後脚２の下部フランジ上面を極めて容易な上記螺着作業でに押さえ込めると共に、転倒防止板３の裏面に対するナット駒６の当接面積は大きいから、地震などの外力でボルト８に強力な上下応力が加わったとしても、この応力は切溝３Ｃの縁辺に集中せず、転倒防止板突面３Ｂの裏面全体に分散して加わるから、上記切溝３Ｃの縁辺はめくれ上がらず、肝心のボルト８は抜け出さないから、長期間安全に使用できるという優れた効果も有る。
【００１５】
この考案における請求項３から請求項５までの各考案によれば、前記空洞部５内にその幅よりも僅かに小寸角形のナット駒６をスライド可能な回転止め状態で内装したり、空洞部５の内面にナット駒６の回転止め凹凸を形成したり、または、ナット駒６の内面に空洞部５に対する回転止め凹凸を形成したりすることで、ナット駒６の空洞部５内でのスライドと回転止めとを簡単に両立させ得るという効果を付加できた。
【考案を実施するための最良の形態】
【００１６】
本考案を実施するための最良の形態例を説明すると、例えば図２のように自動販売機１の下面１Ａに突設した左右の前後脚２にそれぞれ前方へ張り出し固定した左右二枚の転倒防止板３で、外力による自動販売機１の前向き転倒を防ぐ装置を構成するに当たり、前記各転倒防止板３の素材として長さが９００ｍｍ程度・幅が２５０ｍｍ程度・肉厚３〜４ｍｍ程度の防錆処理済鉄板を用い、その周辺には図３のように板金加工による下がり斜辺３Ａを形成し、中央突面３Ｂにはその長さ方向に沿わせて細長い切溝３Ｃを形成すると共に、この切溝に沿った転倒防止板突面３Ｂの裏面両側辺に、防錆処理済鉄板を横断面偏平コ字状に形成した補強板４の両側辺４Ａを溶着などの周知手段で固着して偏平の空洞部５を形成し、この空洞部５内にその幅よりも僅かに小寸の角形ナット駒６の二枚をスライド可能な回転止め状態で入れ込む。
【００１７】
この状態で、前記二枚の転倒防止板３を自動販売機１の設置床面に平行載置して自動販売機左右の前後脚２を図２のように載せ、これら計四本の各脚２にそれぞれ肉厚３〜４ｍｍ程度の防錆処理済鉄板を図４のように横断面偏平コ字状に板金プレス加工した脚固定座７の内孔縁辺７Ａをその導入溝７Ｂから係入し、この内孔縁辺７Ａをそれぞれ前記四本の各脚２の下部フランジ２Ａの上面に図１のように当て込み、脚固定座７の締付け孔７Ｃから転倒防止板３の切溝３Ｃを経て下向きに差し込んだスプリングワッシャＷと平ワッシャＷ付きの計四本のボルト８をそれぞれ一本ずつ前記切溝３Ｃに沿わせて近付けた前記回転止め状態に有る各ナット駒６に同図１のように螺着することで、前記脚固定座７の内孔縁辺７Ａで前記左右の前後脚２の下部フランジ２Ａの上面を同図１のように強固に押さえ込んだ本考案による自動販売機の転倒防止装置を構成できた。
【００１８】
なお、前記空洞部５内にその幅よりも僅かに小寸の角形ナット駒６の二枚をスライド可能な回転止め状態で入れ込んだ関係上、図１のように前記転倒防止板３の裏面に対するナット駒６の当接面積は可及的に大きくできるから、地震などの外力で前記ボルト８に強力な上下応力が加わったとしても、この応力は切溝３Ｃの縁辺に集中せず、転倒防止板突面３Ｂの裏面全体に分散して加わるから、上記切溝３Ｃの縁辺はめくれ上がらず、長期間安全に使用できる。
【実施例】
【００１９】
本考案による転倒防止板３は、肉厚３〜４ｍｍ程度の防錆処理済鉄板を板金プレス加工して周辺に下がり斜辺３Ａを形成し、中央突面３Ｂにはその長さ方向に沿わせて細長い切溝３Ｃを形成すると共に、この切溝３Ｃに沿った転倒防止板突面３Ｂの裏面両側辺に横断面ほぼ偏平コ字状の補強板４の両側辺４Ｃを固着して偏平の空洞部５を形成することで、メカ強度を弱化させずに二枚一組で１８Ｋｇ程度と軽量化した図１のような転倒防止板３となしたので、その持ち運びと床面配置とがそれぞれ著しく簡単となり、一人でも楽に実行可能になった。
【００２０】
また、防錆処理済鉄板を横断面ほぼ偏平コ字状に板金プレス加工した補強板４を転倒防止板突面３Ｂの裏面両側辺に定着したことで偏平な空洞部５を形成でき、この空洞部５内にスライド可能に回転止めして入れ込んだ前記二枚のナット駒６に脚固定座７の締付け孔７Ｃから転倒防止板３の切溝３Ｃを経て下向きに差し込んだボルト８を図１のように無造作に螺着できると共に、前記脚固定座７の内孔縁辺下面で前記左右の前後脚２の下部フランジ上面を強固に押さえ込めたので、転倒防止板３の裏面に対するナット駒６の当接面積が大きく採れるから、地震などの外力で上記ボルト８に強力な上下応力が加わったとしても、転倒防止板３の切溝３Ｃの縁辺は、前述したようにめくれ上がらず、肝心のボルト８は抜け出さない。
【００２１】
前記空洞部５内にその幅よりも僅かに小寸角形のナット駒６をスライド可能な回転止め状態で内装したり、空洞部５の内面にナット駒６の回転止め凹凸を形成したり、または、ナット駒６の内面に空洞部５に対する回転止め凹凸を形成したりすることで、ナット駒６の空洞部５内でのスライドと回転止めとを簡単に両立させ得た。
【産業上の利用可能性】
【００２２】
本考案による自動販売機の転倒防止装置は、例えば奥行きの浅い脚付き家具類の転倒防止装置にも当然に利用できる。
【図面の簡単な説明】
【００２３】
【図１】本考案による自動販売機の転倒防止装置の要部断面図
【図２】現用一般の自動販売機の転倒防止装置の側面略図
【図３】本考案に用いる転倒防止板の例を示す平面図
【図４】現用一般の脚固定座の例を示す斜視図
【図５】従来のねじ孔式転倒防止板の例を示す平面図
【図６】従来の自動販売機転倒防止装置の要部断面図
【図７】従来の転倒防止板の他の例を示す裏面図
【図８】従来の自動販売機転倒防止装置の要部断面図
【符号の説明】
【００２４】
１    自動販売機
２    自動販売機左右の前後脚
２Ａ  前後脚の下部フランジ
３    転倒防止板
３Ａ  周辺斜辺
３Ｂ  中央突面
３Ｃ  中央切溝
４    補強板
４Ａ  両側片
５    空洞部
６    ナット駒
７    脚固定座
７Ａ  内孔縁辺
７Ｂ  導入溝
７Ｃ  締付け孔
８    ボルト
【図１】
0003124714.tif 000003
【図２】
0003124714.tif 000004
【図３】
0003124714.tif 000005
【図４】
0003124714.tif 000006
【図５】
0003124714.tif 000007
【図６】
0003124714.tif 000008
【図７】
0003124714.tif 000009
【図８】
0003124714.tif 000010